(57)【特許請求の範囲】
【請求項１】
入力された映像信号の画角を検出する画角検出手段と、この画角検出手段によって検出された画角に応じて前記映像信号が表示部上に表示される際の表示画角を切り替える画角切替回路と、前記表示画角を手動にて調整する表示画角手動調整手段とを備えた表示画角変換装置において、
ユーザが前記表示画角手動調整手段にて表示画角を調整した映像信号の画角とユーザが前記表示画角手動調整手段にて調整した後の表示画角とを対応させて記憶する記憶手段と、
入力された映像信号の画角が前記記憶手段に記憶された画角であるか否かを検出する検出手段と、
入力された映像信号の画角が前記記憶手段に記憶された画角であると前記検出手段によって検出されたとき、その映像信号の表示画角を、前記記憶手段に対応させて記憶された表示画角となるよう自動的に調整する表示画角自動調整手段と、
前記表示画角手動調整手段にて調整した表示画角の頻度を計測する頻度計測手段と、
前記記憶手段の記憶内容を前記頻度計測手段によって計測した表示画角の頻度に応じて書き換える書き換え手段とを備えて構成したことを特徴とする表示画角変換装置。
【請求項２】
前記頻度とは、１つの表示画角の選択回数もしくは選択時間の少なくとも一方であることを特徴とする請求項１記載の表示画角変換装置。
【請求項３】
前記記憶手段は、
前記表示画角手動調整手段にて表示画角を調整した映像信号の画角と、この画角に対応して前記表示画角自動調整手段によって自動的に調整する表示画角と、この表示画角の頻度とを記憶する書き換え可能なユーザ登録エリアと、
前記表示画角手動調整手段にて表示画角を調整した映像信号の画角と、この画角に対応して調整した表示画角と、この表示画角の頻度とを記憶する書き換え可能な学習用ワークエリアとを有し、
前記書き換え手段は、
前記ワークエリアに記憶した表示画角における最大頻度のものが前記ユーザ登録エリアに記憶した表示画角における最小頻度のものを超えたとき、前記ユーザ登録エリアにおける前記最小頻度の記憶内容に代えて、前記ワークエリアにおける前記最大頻度の記憶内容を前記ユーザ登録エリアへと書き込むことを特徴とする請求項１または２に記載の表示画角変換装置。
【発明の詳細な説明】
【０００１】
【発明の属する技術分野】
本発明は、テレビジョン受像機等の画像表示装置に用いられる表示画角変換装置、即ち、画面上に表示される画像の画角（アスペクト）を変換する表示画角変換装置に関する。
【０００２】
【従来の技術】
近年、アスペクト比１６：９であるワイドアスペクトの表示部を有する表示デバイス（ブラウン管等）を備えたテレビジョン受像機（以下、ワイドＴＶ）が普及している。ワイドＴＶに表示する映像信号として、図１１（Ａ）に示すように、アスペクト比４：３ではあるが上下の部分に黒帯（無画部）が存在する、ビスタサイズ，シネマサイズ，スクリーンサイズ等と称されるレターボックス形式のワイド画像がある。ワイドＴＶにおいては、表示画角を手動もしくは自動的に切り換える画角変換機能を備えている。
【０００３】
ここでいう表示画角とは、アスペクト比４：３の画像を水平方向に圧縮してそのまま表示部の水平方向中央部にアスペクト比４：３で表示するノーマルモード、アスペクト比４：３の画像全体を表示部全体に表示するフルモード、アスペクト比４：３の画像を垂直方向に拡大して、その画像における垂直方向中央部を拡大して表示するビスタモード等である。なお、フルモードでは、アスペクト比４：３の画像が一様に横伸び縦縮みの状態で表示されるため、歪んだ表示状態となる。ビスタモードは、上下の部分に黒帯が存在するワイド画像を表示するときに好適である。
【０００４】
図１１（Ａ）に示す黒帯を有するワイド画像において、黒帯部分を除いた上下方向中央部の画像部分がアスペクト比１６：９であれば、そのアスペクト比１６：９の画像部分をアスペクト比１６：９の表示部の全体に表示させるビスタモードによって、表示部には黒帯が一切表示されない最適な表示状態となる。しかしながら、黒帯部分を除いた上下方向中央部の画像部分がアスペクト比１６：９よりもさらに横長となったワイド画像が多々存在する。図１１（Ａ）に示すワイド画像は、上下方向中央部の画像部分がアスペクト比１６：９よりもさらに横長となった画像である場合を示している。
【０００５】
この図１１（Ａ）に示すワイド画像をワイドＴＶに表示する場合、図１１（Ｂ）〜（Ｅ）に示すような画角変換が考えられる。図１１（Ｂ）は、ワイド画像の左右両端部を若干削除し、黒帯が表示部上に現れないよう画角変換した状態である。なお、この表示状態を実現するには、デジタル信号処理によって上下方向中央部の画像部分よりアスペクト比１６：９となるよう画像を切り出して水平及び垂直方向に拡大する方法や、水平及び垂直の偏向幅を拡大する方法がある。なお、偏向幅を拡大する方法は表示デバイスがブラウン管の場合のみ用いられる。
【０００６】
図１１（Ｃ）〜（Ｅ）は、水平方向には画像を拡大せず、垂直方向のみ画像を拡大するようにしたものである。この場合、黒帯の一部が表示部（画面）上に現れることになり、図１１（Ｃ）は、画面上端部に黒帯の一部が現れるように画角変換した場合、図１１（Ｄ）は画面下端部の一部に黒帯が現れるように画角変換した場合、図１１（Ｄ）は画面上下端部双方に黒帯の一部が現れるように画角変換した場合である。このように、上下方向中央部の画像部分がアスペクト比１６：９よりもさらに横長となった黒帯を有する映像信号（ワイド画像）をワイドＴＶに表示させる場合には、複数の画角変換の方法が存在する。
【０００７】
【発明が解決しようとする課題】
従来においては、図１１（Ａ）に示すようなワイド画像を画角変換する場合、予め設定した表示画角、例えば、図１１（Ｄ）のように黒帯の一部を画面下端部に位置させる状態で画角変換を行って表示していた。しかしながら、どのような画角が最適であるかは、ユーザの好みによって異なる。即ち、左右端部が削除されても黒帯が一切現れない図１１（Ｂ）に示す表示画角を好むユーザや、黒帯を画面上端部に位置させる図１１（Ｃ）に示す表示画角を好むユーザや、黒帯が画面上下端部双方に均等に現れる図１１（Ｄ）に示す表示画角を好むユーザも存在する。
【０００８】
そこで、従来は、好みの表示画角と異なる画角にて表示された場合に、ユーザは、好みの画角とするには、手動で最適な画角となるよう調整する必要があった。さらに、一旦その調整状態が解除され、その後、上下方向中央部の画像部分が同じアスペクト比のワイド画像が入力された場合には、再度最適な表示画角となるよう調整しなければならないという問題点があった。
【０００９】
本発明はこのような問題点に鑑みなされたものであり、ユーザの好みの表示画角に自動的に画角変換することができる表示画角変換装置を提供することを目的とする。また、ユーザの好みの表示画角に自動的に画角変換するに際して、使い勝手に優れた表示画角変換装置を提供することを目的とする。
【００１０】
【課題を解決するための手段】
本発明は、上述した従来の技術の課題を解決するため、入力された映像信号の画角を検出する画角検出手段（４）と、この画角検出手段によって検出された画角に応じて前記映像信号が表示部上に表示される際の表示画角を切り替える画角切替回路（６）と、前記表示画角を手動にて調整する表示画角手動調整手段（８）とを備えた表示画角変換装置において、ユーザが前記表示画角手動調整手段にて表示画角を調整した映像信号の画角とユーザが前記表示画角手動調整手段にて調整した後の表示画角とを対応させて記憶する記憶手段（５）と、入力された映像信号の画角が前記記憶手段に記憶された画角であるか否かを検出する検出手段（４）と、入力された映像信号の画角が前記記憶手段に記憶された画角であると前記検出手段によって検出されたとき、その映像信号の表示画角を、前記記憶手段に対応させて記憶された表示画角となるよう自動的に調整する表示画角自動調整手段（４，６）と、前記表示画角手動調整手段にて調整した表示画角の頻度を計測する頻度計測手段（４，９）と、前記記憶手段の記憶内容を前記頻度計測手段によって計測した表示画角の頻度に応じて書き換える書き換え手段（４）とを備えて構成したことを特徴とする表示画角変換装置を提供するものである。
【００１１】
【発明の実施の形態】
以下、本発明の表示画角変換装置について、添付図面を参照して説明する。図１は本発明の表示画角変換装置の第１実施例を示すブロック図、図２は本発明の表示画角変換装置の第１実施例の動作を説明するためのフローチャート、図３及び図４は本発明の表示画角変換装置の動作の一例を示す図、図５は予め設定された表示画角の一例を示す図、図６はユーザが調整した表示画角の例を示す図、図７は本発明の表示画角変換装置の第２実施例を示すブロック図、図８及び図９は本発明の表示画角変換装置の第２実施例の動作を説明するためのフローチャート、図１０は本発明の表示画角変換装置の第２実施例を説明するための図である。
【００１２】
＜第１実施例＞
図１において、入来した映像信号（輝度信号もしくはコンポジット信号）は、ローパスフィルタ１と画角切替回路６に入力される。ローパスフィルタ１は、入力された映像信号の高域成分を除去して増幅回路２に入力する。増幅回路２は、入力された信号を増幅してＡ／Ｄコンバータ３に入力する。ローパスフィルタ１によって高域成分を除去するのは、画像における黒帯部分を構成する周波数は低域成分であり、黒帯部分を検出するには高域成分は不必要であるため、及び、ランダムノイズやスパークによるパルス状ノイズを除去して誤動作を防止するためである。
【００１３】
Ａ／Ｄコンバータ３は、入力された信号をデジタル信号に変換してマイクロコンピュータ（以下、マイコンと略記する）４に入力する。マイコン４には、映像データを取り込むための水平同期信号，垂直同期信号等のタイミング信号が入力される。マイコン４は、入力されたタイミング信号を用い、Ａ／Ｄコンバータ３によってデジタル信号に変換された映像データを取り込む。マイコン４は、後に詳述するような手法により映像データを分析して入来した映像信号が上下部分に黒帯（無画部）を有するワイド画像であるかどうかを判別すると共に、ワイド画像であれば、映像の開始位置や終了位置を検出する。即ち、マイコン４は画角検出手段である。マイコン４には不揮発性メモリ５及び操作部８が接続されている。この不揮発性メモリ５及び操作部８の使い方については後に詳述する。
【００１４】
そして、マイコン４が映像データを分析した結果、入来した映像信号が上下部分に黒帯を有する図１１（Ａ）に示すようなワイド画像であると判別すれば、マイコン４は画角切替回路６に表示画角を切り替えるよう指示する。画角切替回路６は、この指示に従って入力される映像信号の表示画角を変換してブラウン管等の表示デバイス７に供給する。なお、画角切替回路６はデジタル信号処理によって映像の表示画角を変換したり、あるいは、水平，垂直の少なくとも一方の偏向幅を操作することによって映像の表示画角を切り替えるものである。
【００１５】
ここで、マイコン４による映像データ取り込み方法及びその分析手法について説明する。マイコン４は、図３に示すように、まず所定の水平方向（例えば、左端部）の位置において画面の垂直方向に１フィールドに渡って映像データを取り込む。次のフィールドでは水平方向の位置を後方（図中右側）に遅らせ、次の水平方向の位置において同様に映像データを取り込み、以下同様に水平方向の最終位置まで取り込むと水平方向の先頭位置に復帰する。
【００１６】
図３の例では、画面の水平方向の位置が異なるよう１５カ所をサンプリングしているが、サンプリング数をこれより減らしても増やしてもよい。また、この例では、１フィールドで１水平位置をサンプリングするので、１５フィールド必要であるが、１フィールドで複数の水平位置をサンプリングしてもよい。さらに、あるい水平位置で画面上部から下部までサンプリングする場合、図示のように、飛び飛びの走査線（ライン）でサンプリングしてもよいし、全ての走査線でサンプリングしてもよい。このように、映像データのサンプリング方法は任意でよい。
【００１７】
サンプリングした全ての水平位置における映像データを例えば加算することにより、図４（Ａ）に示すようなデータとなる。画面全体が比較的暗く、映像部分と黒帯部分との境界の判別が困難な場合がある。そこで、マイコン４においては一例として次のようにデータを処理する。まず、図４（Ａ）に示すデータを縦方向（垂直方向）に微分し、図４（Ｂ）に示すように、ライン間の差分（ライン方向の変化量）を計算する。これは、マスク部分は映像の変化がないので微分することによってエネルギーがなくなることを利用するためである。このようにすると、映像部分と黒帯部分との境界が顕著となり、上部の映像開始位置と下部の映像終了位置を検出することができる。さらに境界の検出を確実に行うために、図４（Ｂ）に示すデータを２乗したり、絶対値化してもよい。
【００１８】
そして、マイコン４は、図４（Ｂ）またはそれを２乗もしくは絶対値化したデータに基づいて上部映像開始位置と下部映像終了位置を検出する。マイコン４は、例えば、以上のように処理した映像データを走査線上部及び走査線下部より同時に検索し、所定のレベル以上に立ち上がったラインのアドレスを求める。これにより、映像開始位置と映像終了位置をラインのアドレスとして得ることができ、併せて、上部及び下部の黒帯幅も得ることができる。
【００１９】
以上の例では、サンプリングした全ての水平位置における映像データを加算し、その加算したデータに基づいて映像開始位置と映像終了位置を求めるようにしたが、それぞれの水平位置における映像データに基づいて映像開始位置と映像終了位置を求め、その全ての水平位置における映像開始位置と映像終了位置を総合して最終的な映像開始位置と映像終了位置を決定するようにしてもよい。さらに、以上の分析方法によって、下部の黒帯に字幕が含まれているか否かや、字幕部分の垂直方向の開始位置と終了位置も検出することができる。
【００２０】
そして、画角切替回路６は、マイコン４の分析結果に基づいて入力された映像信号の表示画角を変換する。従って、表示デバイス７の表示部（画面）には、垂直方向中央部の映像部分が拡大され、ワイドアスペクトを十分に生かした表示がなされる。
【００２１】
さて、このとき、入来した映像信号が、図１１（Ａ）で説明したように、上下方向中央部の画像部分がアスペクト比１６：９よりもさらに横長となったワイド画像であった場合を考える。マイコン４は、一例として、図５に示すように、予め設定された表示画角として、黒帯の一部を画面下端部に位置させるよう表示画角を自動的に変換するよう、画角切替回路６を制御する。ユーザがこの予め設定された表示画角を好まず、図６（Ａ）もしくは（Ｂ）のように、操作部８を操作して手動で表示画角を調整したとする。操作部８は、リモコン送信機もしくは受像機本体に設けた操作キーであり、表示画角手動調整手段である。図６（Ａ）は、ワイド画像の左右両端部を若干削除し、黒帯が表示部上に現れないよう水平及び垂直双方に拡大して表示画角を変換した例であり、図６（Ｂ）は、画面上端部に黒帯の一部が現れるよう垂直方向のみに拡大して表示画角を変換した例である。
【００２２】
ユーザが、操作部８によって表示画角を手動にて調整した場合には、マイコン４は、その調整した後の表示画角を不揮発性メモリ５に記憶させておく。さらに詳細には、手動設定した映像信号の画角、即ち、この例では、上下の部分に黒帯を有し、黒帯部分を除いた上下方向中央部の画像部分の画角（アスペクト）と、手動にて調整した後の表示部上に実際に表示される表示画角とを対応させて、不揮発性メモリ５に記憶させておく。
【００２３】
なお、上下方向中央部の画像部分の画角を表すデータとしては、映像開始位置と映像終了位置をライン番号（アドレス）にて記憶させればよく、表示部上に表示される表示画角のデータとしては、垂直方向の表示範囲をライン番号にて記憶させたり、水平もしくは垂直の偏向幅や走査位置の情報にて記憶させたり、水平もしくは垂直の拡大率として記憶させたり、種々の形態が考えられる。不揮発性メモリ５は、操作部８にて手動調整した際の映像信号の画角と調整後の表示画角とを対応させて記憶する記憶手段である。
【００２４】
なお、本実施例では、好ましい実施形態として、不揮発性メモリ５に記憶しておく映像信号の画角として、黒帯部分を除いた上下方向中央部の画像部分の画角としたが、映像信号の画角として、上下の部分に黒帯を有する画像（レターボックス形式）であるか否かのみであってもよい。即ち、手動調整した際の映像信号の画角を単にレターボックス形式であるという情報とし、これに調整後の表示画角とを対応させて記憶させてもよい。
【００２５】
マイコン４は、再び同じ画角の映像信号が入力された場合には、ユーザが前回調整した表示画角となるよう、画角切替回路６を制御する。これにより、ユーザが一旦表示画角を手動調整しておけば、次回からは、ワイド画像が自分の好みの表示画角にて自動的に表示されるので、使い勝手が向上する。なお、以上の説明では、黒帯部分を除いた上下方向中央部の画像部分のアスペクト比が１６：９ではない場合に手動にて調整する場合について説明したが、黒帯部分を除いた上下方向中央部の画像部分のアスペクト比が１６：９の映像を手動にて調整した場合にも同様に動作することは当然である。
【００２６】
以上の本発明の動作を図２に示すフローチャートを用いてさらに説明する。図２において、ステップＳ１にて、チャンネルもしくは入力が切り替えられたか否かを判定し、切り替えられたら、ステップＳ２にて、自動画角変換にて設定したモードをリセットし、再検出の指定フラグを設定する。ステップＳ３にて、画像（映像データ）を取り込み、黒帯部分のエッジを抽出する。なお、ステップＳ１で、チャンネルや入力が切り替えられなければ、そのままステップＳ３に移る。ステップＳ４にて、黒帯が存在するか否かを判定し、黒帯が存在しなければ、ステップＳ６にて、自動画角変換処理として、予めプリセットされた表示画角から最適なモードに設定して、ステップＳ１に戻る。黒帯が存在すれば、ステップＳ５に移る。
【００２７】
ステップＳ５にて、ユーザが以前、予め設定された表示画角を手動にて調整した画角の映像信号であるか否かを判定する。マイコン４は、入力された映像の画角が、不揮発性メモリ５に記憶された映像の画角に含まれているか否かを判定する。マイコン４は、入力された映像信号の画角が不揮発性メモリ５に記憶された画角であるか否かを検出する検出手段である。
【００２８】
以前調整した画角でなければ、ステップＳ６に移る。以前調整した画角であれば、ステップＳ７にて、現在表示デバイス７に表示されている表示画角が、不揮発性メモリ５に記憶させて登録しておいた表示画角となっているか否かを判定する。登録された表示画角となっていれば、そのままステップＳ１に戻る。登録された表示画角となっていなければ、ステップＳ８にて、ユーザが指定した表示画角である登録された表示画角となるよう画面を調整し、ステップＳ１に戻る。マイコン４及び画角切替回路６は、映像信号の表示画角を、不揮発性メモリ５に記憶された表示画角となるよう自動的に調整する表示画角自動調整手段である。ここでいう表示画角自動調整とは、以上の説明より明らかなように、プリセットされた表示画角をさらに微調整した表示画角である。
【００２９】
本実施例では、図２に示すように、黒帯部分を有する映像のときのみ、表示画角自動調整の動作をさせるようにしたが、黒帯部分を有さない通常のアスペクト比４：３の映像を手動にて調整した場合にも同様に表示画角を登録して、表示画角自動調整の動作をさせるよう構成してもよいことは当然である。本発明は以上説明した本実施例に限定されることなく、本発明の要旨を逸脱しない範囲において種々変更可能である。
【００３０】
＜第２実施例＞
図７〜図１０に示す第２実施例は、第１実施例をさらに発展させたものである。第１実施例では、ユーザが一度でも操作部８を操作して表示画角を手動にて調整した場合には、手動設定した映像信号の画角と表示部上に実際に表示される表示画角とを対応させて不揮発性メモリ５に記憶させ、次回、同じ画角の映像信号が入力されたら、その記憶しておいた表示画角となるよう画角切替回路６を制御するようにしている。この場合、全ての表示画角を記憶させるとすれば、不揮発性メモリ５の容量が無限に必要となってしまう。あるいは、記憶させた表示画角を古い順に削除して書き換えることも考えられるが、これでは必ずしも使い勝手に優れるとはいえない。第２実施例は、限られた不揮発性メモリ５の容量で、使い勝手に優れた構成としたより好ましい実施形態である。
【００３１】
図７において、図１と同一部分には同一符号を付し、その説明を適宜省略する。マイコン４による映像データ取り込み方法及びその分析手法は第１実施例と同じである。図７に示すように、マイコン４には不揮発性メモリ５及び操作部８に加え、さらにタイマ９が接続されている。なお、タイマ９は、マイコン４とは別のものであってもよいし、マイコン４に内蔵されたものであってもよい。このタイマ９は、後述するように、ユーザが調整した表示画角の表示時間（視聴時間）を計測するためのものである。
【００３２】
図８のフローチャートを用いて第２実施例の動作について説明する。図８においても、図２と同一ステップには同一符号を付す。図８において、ステップＳ１にて、チャンネルもしくは入力が切り替えられたか否かを判定し、切り替えられたら、ステップＳ２にて、自動画角変換にて設定したモードをリセットし、再検出の指定フラグを設定する。ステップＳ３にて、画像（映像データ）を取り込み、黒帯部分のエッジを抽出する。なお、ステップＳ１で、チャンネルや入力が切り替えられなければ、そのままステップＳ３に移る。ステップＳ４にて、黒帯が存在するか否かを判定し、黒帯が存在しなければ、ステップＳ６にて、自動画角変換処理として、予めプリセットされた表示画角から最適なモードに設定して、ステップＳ９に移る。ステップＳ９については後述する。黒帯が存在すれば、ステップＳ５に移る。
【００３３】
ステップＳ５にて、ユーザが以前、予め設定された表示画角を手動にて調整した画角の映像信号であるか否かを判定する。マイコン４は、入力された映像の画角が、不揮発性メモリ５に記憶された映像の画角に含まれているか否かを判定する。以前調整した画角でなければ、ステップＳ６に移る。以前調整した画角であれば、ステップＳ７にて、現在表示デバイス７に表示されている表示画角が、不揮発性メモリ５に記憶させて登録しておいた表示画角となっているか否かを判定する。登録された表示画角となっていれば、ステップＳ１１における最適化サブルーチンを実行して、ステップＳ１に戻る。なお、ステップＳ１１の最適化サブルーチンについては後に詳述する。
【００３４】
ステップＳ７にて、登録された表示画角となっていなければ、ステップＳ８にて、ユーザが指定した表示画角である登録された表示画角となるよう画面を調整し、ステップＳ１０に移る。ステップＳ１０にて、その表示画角の選択回数を求め、選択時間を積算する。選択回数は、マイコン４によって不揮発性メモリ５に記憶された選択回数をインクリメントすることにより求める。選択時間とは、その表示画角を表示デバイス７上に表示している時間（表示時間）であり、タイマ９によって求める。マイコン４及びタイマ９は、表示画角手動調整手段（操作部８）にて調整した表示画角の頻度（選択回数もしくは選択時間の少なくとも一方）を計測する頻度計測手段である。
【００３５】
そして、ステップＳ１１における最適化サブルーチンを実行して、ステップＳ１に戻る。ステップＳ４もしくはＳ５からステップＳ６に移った場合は、ユーザが調整した表示画角ではなく、予めプリセットされた表示画角にて表示する場合であるから、ステップＳ１０における選択回数と選択時間の計算処理が、ステップＳ９にて終了されることになる。
【００３６】
ここで、図８中のステップＳ１１における最適化サブルーチンについて説明する。図９によってステップＳ１１の最適化サブルーチンの処理を説明する前に、まず、図１０を用いて不揮発性メモリ５について説明する。図１０に示すように、不揮発性メモリ５は、出荷時の設定であり、予めプリセットされた書き換え不可の表示画角を記憶する領域５１と、ユーザが調整した表示画角等を記憶するユーザ登録エリアである領域５２と、ユーザ登録の際の学習用ワークエリアであり、ユーザが調整した表示画角等を仮に記憶する領域５３と、現在選択中の表示画角等を記憶する領域５４とを有する。
【００３７】
領域５１〜５４のプリセット画角，仮プリセット画角，現在選択中の画角とは、上記のように、操作部８にて手動調整した際の映像信号の画角と調整後の表示画角とを対応させたものである。領域５２〜５４には、プリセット画角，仮プリセット画角，現在選択中の表示画角に併せて、それぞれの選択回数と表示時間の積算時間が記憶される。なお、表示時間は、必ずしも実際の時間である必要はなく、単位時間（例えば、５分）の倍数として記憶するものでもよい。表示時間を時間形式で格納してもよく、任意の係数で代用して格納してもよい。領域５２〜５４における選択回数と積算時間の初期値は０である。
【００３８】
図７において、不揮発性メモリ５はこのような構成を有し、マイコン４は図９に示す最適化サブルーチンの処理を実行する。図９において、ステップＳ１１１にて、領域５４に記憶されている現在選択中の表示画角の選択回数が、領域５３の学習用ワークエリアに記憶されている最小選択回数よりも多いか否か判定する。学習用ワークエリアの最小選択回数よりも多くなければ、ステップＳ１１３にて選択回数及び選択時間を更新して、ステップＳ１１５に移る。学習用ワークエリアの最小選択回数よりも多ければ、ステップＳ１１２にて、領域５４に記憶されている現在選択中の表示画角の積算時間が、領域５３の学習用ワークエリアに記憶されている最小積算時間よりも多いか否か判定する。学習用ワークエリアの最小積算時間よりも多くなければ、ステップＳ１１３にて選択回数及び選択時間を更新して、ステップＳ１１５に移る。
【００３９】
ステップＳ１１２にて、学習用ワークエリアの最小積算時間よりも多ければ、ステップＳ１１４に移る。ステップＳ１１４では、領域５３の学習用ワークエリアにおける最小選択回数，最小積算時間の記憶内容を削除し、領域５４に記憶した現在選択中の表示画角に関する情報を書き込む。これにより、学習用ワークエリアに記憶した仮プリセット画角において、視聴頻度が少ないものが順次視聴頻度の多いものへと書き換えられていくことになる。本実施例では、選択回数が多く、かつ、選択時間が多いものを学習用ワークエリアの記憶内容へと更新するようにしているが、選択回数が少なくても選択時間が多いものや、選択時間が少なくても選択回数が多いものを、学習用ワークエリアの記憶内容へと更新するようにしてもよい。
【００４０】
さらに、ステップＳ１１５にて、領域５３の学習用ワークエリアにおける最大選択回数のものが、領域５２のユーザ登録エリアに記憶されている最小選択回数よりも多いか否か判定する。ユーザ登録エリアに記憶されている最小選択回数よりも多くなければ、そのまま戻る。ユーザ登録エリアに記憶されている最小選択回数よりも多ければ、ステップＳ１１６にて、領域５３の学習用ワークエリアにおける最大積算時間のものが、領域５２のユーザ登録エリアに記憶されている最小積算時間よりも多いか否か判定する。ユーザ登録エリアに記憶されている最小積算時間よりも多くなければ、そのまま戻る。
【００４１】
ステップＳ１１６にて、ユーザ登録エリアに記憶されている最小積算時間よりも多ければ、ステップＳ１１７に移る。ステップＳ１１７では、領域５２のユーザ登録エリアにおける最小選択回数，最小積算時間の記憶内容を削除し、領域５３の学習用ワークエリアにおける最大選択回数，最大積算時間の記憶内容を書き込む。これにより、ユーザ登録エリアに記憶したプリセット画角において、視聴頻度が少ないものが順次視聴頻度の多いものへと書き換えられていくことになる。ここでも、選択回数が多く、かつ、選択時間が多いものをユーザ登録エリアの記憶内容へと更新するようにしているが、選択回数が少なくても選択時間が多いものや、選択時間が少なくても選択回数が多いものを、ユーザ登録エリアの記憶内容へと更新するようにしてもよい。
【００４２】
以上のようにして、第２実施例では、領域５４における記憶内容の選択回数や選択時間が多ければ領域５３の学習用ワークエリアへと書き込まれ、さらに、学習用ワークエリア５３における記憶内容の選択回数や選択時間が多ければ、領域５２のユーザ登録エリアへと書き込まれる。領域５２〜５４に情報が書き込まれていない初期状態から少しの間は、頻度の少ないものも領域５２のユーザ登録エリアへと書き込まれ、プリセット画角として選択されることになるが、表示画角の手動操作を重ねるに連れ、頻度の多いもののみがユーザ登録エリアに残ることとなる。これにより、限られた不揮発性メモリ５の容量で、使い勝手に優れた表示画角変換装置とすることができる。
【００４３】
【発明の効果】
以上詳細に説明したように、本発明の表示画角変換装置は、表示画角手動調整手段にて調整した際の映像信号の画角と調整後の表示画角とを対応させて記憶する記憶手段と、入力された映像信号の画角が記憶手段に記憶された画角であるか否かを検出する検出手段と、この検出手段によって入力された映像信号の画角が記憶手段に記憶された画角であると検出されたとき、その映像信号の表示画角を、記憶手段に対応させて記憶された表示画角となるよう自動的に調整する表示画角自動調整手段とを備えて構成したので、ユーザの好みの表示画角に自動的に画角変換することができる。
【００４４】
さらに、表示画角手動調整手段にて調整した表示画角の頻度を計測する頻度計測手段と、記憶手段の記憶内容を頻度計測手段によって計測した表示画角の頻度に応じて書き換える書き換え手段とを備えて構成したので、限られた記憶手段の容量で、使い勝手に優れた表示画角変換装置とすることができる。
【図面の簡単な説明】
【図１】本発明の第１実施例を示すブロック図である。
【図２】本発明の第１実施例の動作を説明するためのフローチャートである。
【図３】本発明の動作の一例を示す図である。
【図４】本発明の動作の一例を示す図である。
【図５】予め設定された表示画角の一例を示す図である。
【図６】ユーザが調整した表示画角の例を示す図である。
【図７】本発明の第２実施例を示すブロック図である。
【図８】本発明の第２実施例の動作を説明するためのフローチャートである。
【図９】本発明の第２実施例の動作を説明するためのフローチャートである。
【図１０】本発明の第２実施例を説明するための図である。
【図１１】表示画角の変換例を説明するための図である。
【符号の説明】
１  ローパスフィルタ
２  増幅回路
３  Ａ／Ｄコンバータ
４  マイクロコンピュータ
５  不揮発性メモリ
６  画角切替回路
７  表示デバイス
８  操作部
９  タイマ
【図１】
0003707664.tif 000002
【図２】
0003707664.tif 000003
【図３】
0003707664.tif 000004
【図４】
0003707664.tif 000005
【図５】
0003707664.tif 000006
【図６】
0003707664.tif 000007
【図７】
0003707664.tif 000008
【図８】
0003707664.tif 000009
【図９】
0003707664.tif 000010
【図１０】
0003707664.tif 000011
【図１１】
0003707664.tif 000012